(57)【要約】【課題】複数の記録媒体に連続して動画記録を行う場合に、記録される動画データのコマ落ちや音切れなどを防止できる撮像装置を提供する。【解決手段】制御部１９は、複数の記録媒体に連続して動画記録を行う際の記録媒体切り替え時に、予めユーザーによって設定された記録条件（画素数、記録コマ数、圧縮率）に応じて定められる閾データ書き込み速度が、記録媒体切り替え後の記録媒体のデータ書き込み速度を上回るときに、記録条件を自動的に変更し、動画記録を継続させる。【選択図】図１
2007214768.tif 000002
【特許請求の範囲】
【請求項１】
記録媒体に対するデータ書き込み速度を検出する書き込み速度検出部を有し、複数の上記記録媒体に連続して動画記録可能な撮像装置であって、
動画記録設定時又は動画記録中に、上記記録媒体の上記データ書き込み速度と、動画記録条件に応じて定められている閾データ書き込み速度とを比較し、比較結果に応じて上記動画記録条件での、連続して動画記録することの可否を判断する制御部を、
備えたことを特徴とする撮像装置。
【請求項２】
上記制御部は、
動画記録の継続を不可と判断すると、上記動画記録条件を変更することで上記閾データ書き込み速度を変更し、連続して動画記録をするように制御することを特徴とする請求項１に記載の撮像装置。
【請求項３】
上記制御部は、
動画記録の継続を不可と判断すると、連続して動画記録をしないように制御することを特徴とする請求項１に記載の撮像装置。
【請求項４】
上記制御部は、
上記書き込み速度検出部によって検出される複数の上記記録媒体のデータ書き込み速度に基づき、複数の上記記録媒体に優先順位を付すとともに、動画記録を行う場合に、優先順位の高い順に従って、使用する上記記録媒体を選択していくことを特徴とする請求項１から３いずれか１項に記載の撮像装置。
【請求項５】
複数の上記記録媒体に優先順位を付与する優先順位入力部が備えられており、
上記制御部は、
動画記録を行う場合に、上記優先順位入力部により付与される優先順位の高い順に従って、使用する上記記録媒体を選択していくことを特徴とする請求項１から３いずれか１項に記載の撮像装置。
【請求項６】
複数の上記記録媒体の各々に対応する上記動画記録条件を、個別または一括して設定する動画記録条件入力部が備えられていることを特徴とする請求項１から５いずれか１項に記載の撮像装置。
【請求項７】
上記動画記録条件は、
画素数、撮影コマ数、および圧縮率の３つのパラメータのうち、少なくとも１つを含むものであること特徴とする請求項１から６いずれか１項に記載の撮像装置。
【発明の詳細な説明】
【技術分野】
【０００１】
本発明は、動画記録の可能な撮像装置（例えばデジタルカメラ）に関するものである。
【背景技術】
【０００２】
近年、動画記録の可能なデジタルカメラなどの撮像装置では、より質の高い動画記録を行うために、画素数の増加や記録コマ数の増加などが行われている。例えば、画素数としては、ＶＧＡサイズ（６４０×４８０ドット）やハイビジョンタイプ（１９２０×１０８０ドット）などが普及してきた。
【０００３】
しかしながら、このように高画素数化や高記録コマ数化などが進むことによって、同容量の記録媒体を用いた場合の動画記録時間は短くなる。そのため、より大きな記録容量を確保するために、複数の外部記録媒体を装着可能なデジタルカメラが提案され、その一例を特許文献１にみることができる。
【０００４】
特許文献１に記載のデジタルカメラは、複数の外部記録媒体を装着する上に、書き込み速度検出部および書き込み媒体選択部を含むようになっている。そして、書き込み速度検出部は、各外部記録媒体にベンチマークデータまたは記録データを実際に書き込むこと、若しくは、各外部記録媒体の種別を取得することによって、各外部記録媒体のデータ書き込み速度を検出するものである。一方、書き込み媒体選択部は、書き込み速度検出部により検出されたデータ書き込み速度に基づいて、記録データを書き込む外部記録媒体を選択するものである。
【０００５】
すると、特許文献１のデジタルカメラは、書き込み速度検出部によって検出された各外部記録媒体のデータ書き込み速度を考慮して、複数の外部記録媒体から記録データを書き込む外部記録媒体を適切に選択できる。
【特許文献１】特開２００１−３５２５１０号公報
【発明の開示】
【発明が解決しようとする課題】
【０００６】
しかしながら、特許文献１のデジタルカメラは、２つの外部記録媒体を装着可能な場合に、書き込み速度検出部により検出されたデータ書き込み速度の速いほうの外部記録媒体を動画記録用に利用し、データ書き込み速度の遅いほうの外部記録媒体を静止画記録用に利用している。つまり、特許文献１のデジタルカメラは、複数の記録媒体に連続して動画記録を行うことは考慮されていない。
【０００７】
一般的に、動画データは、単位時間あたりのデータ量が非常に大きい。したがって、記録媒体のデータ書き込み速度が、単位時間あたりの動画データのデータ量に対して十分でない状況が起こりやすい。この状況においては、記録される動画データにコマ落ちや音切れなどが発生する。
【０００８】
例えば、２つの記録媒体に対して、同じ動画記録条件で連続して動画記録を行う場合、最初に動画記録される記録媒体に比べて後に動画記録される記録媒体のデータ書き込み速度が遅いと、記録媒体の切り替わった後に記録される動画データにコマ落ちや音切れなどが発生し得る。
【０００９】
上記の問題点を鑑み、本発明においては、複数の記録媒体に連続して動画記録を行う場合に、記録される動画データのコマ落ちや音切れなどを防止できる撮像装置を提供することを目的とする。
【課題を解決するための手段】
【００１０】
本発明においては、撮像装置は、記録媒体に対するデータ書き込み速度を検出する書き込み速度検出部を有し、複数の記録媒体に連続して動画記録可能な撮像装置であって、動画記録設定時又は動画記録中に、記録媒体のデータ書き込み速度と、動画記録条件に応じて定められている閾データ書き込み速度とを比較し、比較結果に応じて上記動画記録条件での、連続して動画記録することの可否を判断する制御部を備えたことを特徴とする。
【００１１】
一般的に、データ書き込み速度の許容範囲を超える動画記録条件（画素数、撮影コマ数、圧縮率等）下において、動画記録が行われると、種々の不具合（動画データのコマ落ちや音切れなど）が生じる。しかし、本発明の撮像装置の制御部は、動画記録設定時又は動画記録中に、データ書き込み速度に応じた比較・判断を行う機能を有している。特に、動画記録条件に応じて定められるデータ書き込み速度(閾データ書き込み速度)と、書き込み速度検出部によって検出される記録媒体のデータ書き込み速度とを比較できるようになっている。すると、本発明の撮像装置は、閾データ書き込み速度を基準にした種々の判断を行えることになる。
【００１２】
例えば、本発明の撮像装置は、閾データ書き込み速度を境にした大小関係で、複数の記録媒体に連続する動画記録の継続の可否を判断できる。すなわち、撮像装置は、閾データ書き込み速度を境に、一方のデータ書き込み速度（例えば閾データ書き込み速度よりも速いデータ書き込み速度）を有する記録媒体であれば、連続する動画記録の継続に好適と判断したり、他方のデータ書き込み速度（例えば閾データ書き込み速度よりも遅いデータ書き込み速度）を有する記録媒体であれば、連続する動画記録の継続に不適と判断したりできる。
【００１３】
また、本発明の撮像措置においては、制御部が、動画記録の継続を不可と判断すると、動画記録条件を変更することで閾データ書き込み速度を変更し、連続して動画記録をするように制御することが望ましい。
【００１４】
つまり、かかる制御部であれば、動画記録条件を緩和させることで、例えば複数の動画記録条件に応じて複数存在する閾データ書き込み速度の中から緩和した閾データ書き込み速度への変更を行える。すると、閾データ書き込み速度が緩和することから、制御部は、かかる閾データ書き込み速度と切り替え後の記録媒体の書き込み速度との比較結果を、連続する動画記録の継続に好適なものへと変更させているといえる。したがって、本発明の撮像装置は、複数の記録媒体に連続して動画記録を行う場合に、動画データのコマ落ちや音切れなど不具合の発生を一層防止できる。
【００１５】
また、本発明の撮像装置においては、制御部が、動画記録の継続を不可と判断すると、連続して動画記録をしないように制御することとしてもよい。
【００１６】
このような制御部であれば、動画記録自体が停止するため、上記した不具合の発生はあり得ない。
【００１７】
また、本発明の撮像装置においては、制御部が、書き込み速度検出部によって検出される複数の上記記録媒体のデータ書き込み速度に基づき、複数の上記記録媒体に優先順位を付すとともに、動画記録を行う場合に、優先順位の高い順に従って、使用する上記記録媒体を選択してもよい。
【００１８】
すると、データ書き込み速度の速い外部記録媒体から使用（記録）されていくので、高質な動画記録が可能となる。また、動画記録条件を全ての記録媒体に一括に設定している場合、制御部が動画記録の継続を不可と判断する事態は、比較的、後の外部記録媒体切り替え時に起こりやすくなる。したがって、最初の方の外部記録媒体の切り替え時に、制御部が動画記録の継続を不可と判断する事態が発生する確率を抑制できる。
【００１９】
また、本発明の撮像装置においては、複数の記録媒体に優先順位を付与する優先順位入力部が備えられており、制御部は、動画記録を行う場合に、優先順位入力部により付与される優先順位の高い順に従って、使用する記録媒体を選択していくと望ましい。
【００２０】
このような撮像装置であれば、優先順位入力部を用いることによって、ユーザーの望む記録媒体に、ユーザーの望む順序で動画記録を行うことができる。したがって、ある１つの記録媒体にのみ動画記録を行いたい場合や、装着された全ての記録媒体のうちのいくつかのみに連続して動画記録を行いたい場合にも対応可能である。
【００２１】
また、複数の記録媒体の各々に対応する動画記録条件を、個別または一括して設定する動画記録条件入力部が備えられていてもよい。
【００２２】
このような撮像装置であれば、動画記録条件入力部を用いることによって、ユーザーの望む動画記録条件による動画記録を行うことができる。また、動画記録条件を個別に設定する場合はより自由度が高くなり、一括して設定する場合はより使い勝手がよくなる。
【００２３】
なお、本発明の撮像装置における動画記録条件は、画素数、撮影コマ数、および圧縮率の３つのパラメータのうち、少なくとも１つを含むものになっていると望ましい。
【００２４】
このような撮像装置であれば、動画の質（例えば、画素数、撮影コマ数、および圧縮率）とデータ書き込み速度との関係がユーザーに分かりやすくなり、動画記録条件の設定が容易となる。
【発明の効果】
【００２５】
本発明によると、複数の記録媒体に連続して動画記録を行う場合に、記録される動画データのコマ落ちや音切れなどを防止できる撮像装置が提供される。
【発明を実施するための最良の形態】
【００２６】
本発明の実施形態について、図面を用いて説明すれば以下の通りである。
【００２７】
〈デジタルカメラの構成について〉
図１は、本発明の実施形態に係るデジタルカメラ１の概略の構成を示したブロック図である。一方、図２（Ａ）、図２（Ｂ）は、デジタルカメラ１の外観側面図、外観背面図である。図１又は図２（Ａ）、図２（Ｂ）に示すように、デジタルカメラ１は、レンズユニット１１と、レンズ移動制御部１２と、画像処理部１３と、タイミング制御回路１４と、フラッシュ部１５と、画像表示部１６と、外部インターフェース部１７と、操作部１８と、制御部１９と、通信用インターフェース２０と、不揮発性メモリ２１とを含んでいる。
【００２８】
〈レンズユニットについて〉
レンズユニット１１は、被写体からの光線を取り込む撮像光学系ＯＳ１１ａと、この撮像光学系ＯＳで導かれる光線が照射するＣＣＤ（Charged Coupled Device）１１ｂとを含んでいる。
【００２９】
撮像光学系ＯＳ１１ａは、レンズ鏡胴ＬＢ｛図２（Ａ）参照｝に収容されており、被写体の光線を取得するものである。そして、撮像光学系ＯＳ１１ａは、少なくとも、ズーミングを負担するズーミングレンズＺＬと、被写体からの光線を調整するシャッタＳＴと、フォーカシングを負担するフォーカシングレンズＦＬとを含んでいる。
【００３０】
ＣＣＤ１１ｂは、撮像光学系ＯＳ１１ａによって取り込まれた光線を受光し、電気的信号に変換させるものである（すなわち光電変換素子である）。なお、ＣＣＤ１１ｂは、赤色（Ｒ）光、緑色（Ｇ）光、青色（Ｂ）光をそれぞれ選択的に受ける３種の画素を多数有する構成になっている。
【００３１】
〈レンズ移動制御部について〉
レンズ移動制御部１２は、ズーミング及びフォーカシングのために、撮像光学系ＯＳ１１ａのレンズを適宜移動させるものである。そして、レンズ移動制御部１２は、各種モータ（１２ａ〜１２ｃ）と、それに対応するモータ制御回路（１２ｄ〜１２ｆ）と、レンズ位置検出回路１２ｇとを含んでいる。
【００３２】
モータは、具体的には、ズーミングレンズＺＬを移動させるズーム用モータＺＭ１２ａ、シャッタＳＴを開閉させるシャッタ用モータＳＭ１２ｂ、及び、フォーカシングレンズＦＬを移動させるフォーカス用モータＦＭ１２ｃである。
【００３３】
モータ制御回路は、具体的には、ズーム用モータＺＭ１２ａを駆動制御することでズーミングなどを制御するズーム用モータＺＭ制御回路１２ｄ、シャッタ用モータＳＭ１２ｂを駆動制御することでシャッタ開閉を制御するシャッタ用モータＳＭ制御回路１２ｅ、及び、フォーカス用モータＦＭ１２ｃを駆動制御することでフォーカシングなどを制御するフォーカス用モータＦＭ制御回路１２ｆである。
【００３４】
レンズ位置検出回路１２ｇは、レンズ鏡胴ＬＢの外周面に帯状に付された反射パターン（不図示）に光線を照射するとともに、反射パターンからの反射光を検出するようになっている（例えばフォトリフレクタである）。つまり、レンズ位置検出回路１２ｇは、反射パターンからの反射光の検出によって、各種レンズの位置を検出するようになっている。なお、レンズ位置検出回路１２ｇは、フォトリフレクタのような構成に限定されるものではなく、各種モータの駆動パルスをカウントすることで、各種レンズの位置を検出するようになっていてもよい。
【００３５】
〈画像処理部について〉
画像処理部１３は、ＣＣＤ１１ｂの電子データから画像データを生成するものである。具体的には、画像処理部１３は、信号処理回路１３ａと、Ａ／Ｄコンバータ１３ｂと、画像処理回路１３ｃと、画像メモリ１３ｄとを含んでいる。
【００３６】
信号処理回路１３ａはＣＣＤ１１ｂの各画素の出力するアナログ信号を処理するものであり、Ａ／Ｄコンバータ１３ｂは信号処理回路１３ａからの処理済みのアナログ信号をデジタル信号に変換するものである。画像処理回路１３ｃは黒レベル補正、ホワイトバランス調節、γ補正などの画像処理を行う回路である。また、画像メモリ１３ｄは、信号処理回路１３ａ、Ａ／Ｄコンバータ１３ｂ、画像処理回路１３ｃを経ることによって生成される画像データを一時的に記録するものである。
【００３７】
〈タイミング制御回路について〉
タイミング制御回路１４は、制御部１９から送信される基準クロックに基づき、ＣＣＤ１１ｂ、信号処理回路１３ａ、及びＡ／Ｄコンバータ１３ｂの駆動制御信号を生成するものである。
【００３８】
〈フラッシュ部について〉
フラッシュ部１５は、フラッシュ発光部１５ａと、フラッシュ回路１５ｂとを含んでいる。フラッシュ発光部１５ａは、被写体へ光線を照射することで、被写体からの光（反射光）を増加させ、容易にＣＣＤ１１ｂの撮像を可能にするものである。フラッシュ回路１５ｂは、フラッシュ回路１５ａによる発光を制御する回路である。
【００３９】
〈画像表示部について〉
画像表示部１６は、ＶＲＡＭ（Video Random Access Memory）１６ａと、ＬＣＤ（Liquid Crystal Display）１６ｂと、ＥＶＦ（Electric View Finder）１６ｃとを含んでいる。ＶＲＡＭ１６ａは、撮像光学系ＯＳ１１ａからの被写体光像に基づいて生成された画像データなどを記録するものである。ＬＣＤ１６ｂ・ＥＶＦ１６ｃは、ＶＲＡＭ１６ａに記録されている画像データなどの種々のデータを表示するものである。
【００４０】
〈外部インターフェース部について〉
外部インターフェース部１７は、第１の外部記録媒体装着部１７ａ（以下、第１装着部１７ａ）と、第２の外部記録媒体装着部１７ｂ（以下、第２装着部１７ｂ）とを備えている。そして、第１装着部１７ａには第１の外部記録媒体３０ａ（以下、第１記録媒体３０ａ）が、第２装着部１７ｂには第２の外部記録媒体３０ｂ（以下、第２記録媒体３０ｂ）がそれぞれ装着可能である。つまり、本実施形態に係るデジタルカメラ１においては、２つの外部記録媒体を同時に装着することができる。
【００４１】
〈操作部について〉
操作部１８（動画記録条件入力部、優先順位入力部）は、ユーザーによる種々の操作内容を制御部１９に指示するためのボタン、スイッチなどである。そして、操作部１８は、少なくとも、電源スイッチ１８ａと、ズームボタン１８ｂと、モードダイアル１８ｃと、メニューボタン１８ｄと、クイックビューボタン１８ｅと、レリーズボタン１８ｆ（図２には不図示）と、十字キー１８ｇとを含んでいる。
【００４２】
電源スイッチ１８ａは、デジタルカメラ１全体の起動／停止を制御するスイッチであり、ズームボタン１８ｂはズーミングを操作するボタンである。モードダイアル１８ｃは動画モードと静止画モードとを切り替えるダイアルであり、メニューボタン１８ｄはＬＣＤ１６ｂにメニューを表示させるためのボタンである。クイックビューボタン１８ｅはＬＣＤ１６ｂにライブビューを表示させるためのボタンであり、レリーズボタン１８ｆは各種撮像を開始させるためのボタンである。十字キー１８ｇは、周囲を取り囲む十字キーによって、メニュー表示時にＬＣＤ１６ｂの画像内に表示されるカーソルを移動させ、中心の決定ボタンで選択されたメニューの決定を行うためのキーである。
【００４３】
〈制御部について〉
制御部１９は、デジタルカメラ１全体の動作制御などを行う中枢部分となっており、デジタルカメラ１の各部材の駆動を有機的に制御して、動作を統括制御｛例えば、動画記録又は静止画記録の切り替え制御など｝するものである。また、本実施形態係るデジタルカメラ１においては、制御部１９は、第１装着部１７ａに装着された第１記録媒体３０ａ及び第２装着部１７ｂに装着された第２記録媒体３０ｂのデータ書き込み速度を検出する書き込み速度検出部１９０を含んでいる。
【００４４】
〈書き込み速度検出部について〉
次に、本実施形態に係る書き込み速度検出部１９０について説明する。図３は、書き込み速度検出部１９０の概略の構成を示す説明図である。書き込み速度検出部１９０は、外部記録媒体検知部１９１と、書き込み速度測定部１９２と、メモリ１９３とを含んでいる。外部記録媒体検知部１９１は、第１装着部１７ａ、第２装着部１７ｂへの第１記録媒体３０ａ、第２記録媒体３０ｂの装着の有無を検出する。
【００４５】
書き込み速度測定部１９２は、外部記録媒体検知部１９１によって、第１装着部１７ａ又は第２装着部１７ｂに、対応する第１記録媒体３０ａ又は第２記録媒体３０ｂが装着されたことが検知されると、装着された外部記録媒体のデータ書き込み速度を測定する。具体的には、データ書き込み速度の測定は、装着された第１記録媒体３０ａ又は第２記録媒体３０ｂに、ベンチマークデータを書き込むことによって行われる。なお、装着された外部記録媒体の種別を判定することによってデータ書き込み速度の測定を行うようにしてもよい。
【００４６】
ベンチマークデータを書き込んでデータ書き込み速度の検出を行う際の具体例を以下に示す。ベンチマークデータとして、１０ＭＢの容量のデータが用意されたとする。そして、ある記録媒体にこの１０ＭＢのベンチマークデータを実際に書き込んだときに、書き込み終了までに５秒を要したとする。この場合１０ＭＢ／５秒＝２ＭＢ／秒がデータ書き込み速度となる。
【００４７】
そして、メモリ１９３には、書き込み速度測定部１９２によって測定されたデータ書き込み速度が記録される。なお、メモリ１９３へのデータ書き込み速度の記録は、各記録媒体ごとに定められた記録媒体ＩＤに関連付けて行うようにするとよい。このようにすると、外部記録媒体が一度、第１装着部１７ａ又は第２装着部１７ｂから取り外され、再度同じ外部記録媒体が第１装着部１７ａ又は第２装着部１７ｂに装着されたときに、再びデータ書き込み速度を測定する必要がなくなる点で効果的である。
【００４８】
なお、各外部記録媒体のデータ書き込み速度は、メモリ１９３ではなく、各外部記録媒体自身に読み取り可能に記録されてもよい。このようにしても、外部記録媒体が一度、第１装着部１７ａ又は第２装着部１７ｂから取り外され、再度該外部記録媒体が第１装着部１７ａ又は第２装着部１７ｂに装着されたときに、再びデータ書き込み速度を測定する必要がなくなる点で効果的である。
【００４９】
また、実際に動画記録要求がなされたときに、記録を行いたい動画データを用いて記録媒体のデータ書き込み速度を検出する方法もある。具体的には、第１装着部１７ａに第１記録媒体３０ａが装着され、かつ、第２装着部１７ｂに第２記録媒体３０ｂが装着されている状態において動画記録要求がなされた場合、制御部１９は、まず、記録を行いたい動画データを第１記録媒体３０ａ及び第２記録媒体３０ｂの両方に実際に書き込ませる。
【００５０】
そして、そのときのデータ書き込み速度を書き込み速度測定部１９２によって測定し、データ書き込み速度が速い方の外部記録媒体に対しては動画記録を継続し、遅いほうの外部記録媒体に対しては動画記録を停止させる。このようにすると、メモリ１９３又は外部記録媒体自身に、外部記録媒体のデータ書き込み速度を記録する必要がなく、メモリ量の低減が可能となる点で効果的である。
【００５１】
〈通信用インターフェースについて〉
通信用インターフェース２０は、デジタルカメラ１がサポートする、ＵＳＢなどの仕様に応じたプロトコル変換などの制御を行う。つまり、通信用インターフェース２０を用いることで、ネットワークを含む外部機器との通信が可能となる。
【００５２】
〈不揮発性メモリについて〉
不揮発性メモリ２１は、ＥＥＰＲＯＭ（電気的消去及びプログラム可能なＲＯＭ）やＦＬＡＳＨメモリなどで構成され、デジタルカメラ１の電源がオフの間もデータが保持されるメモリである。本実施形態に係る不揮発性メモリ２１は、各動画記録条件に対応する閾データ書き込み速度を格納するためのものである。なお、各動画記録条件に対応する閾データ書き込み速度の詳細については後述する。
【００５３】
〈動画記録時の制御方法の詳細について〉
次に、デジタルカメラ１の制御部１９による、動画記録時の制御方法の詳細を説明する。本実施形態に係る制御部１９による、動画記録時の制御方法の特徴は、複数の記録媒体に連続して動画記録を行う場合に、記録媒体のスムーズな切り替えが行えることである。したがって、記録される動画データのコマ落ちや音切れなどを防止することが可能となる。
【００５４】
まず、制御部１９による、動画記録時の記録媒体の選択方法について説明する。制御部１９は、ユーザーの事前の設定に基づいて、動画記録時の記録媒体を選択する。この詳細について、図４及び図５を用いて説明する。
【００５５】
図４は、デジタルカメラ１のメニュー設定画面４０を示す説明図である。メニュー設定画面４０は、デジタルカメラ１の電源が入力されており、かつ、メニューボタン１８ｄが押された場合、ＬＣＤ１６ｂに表示される。
【００５６】
図４（ａ）は、このメニュー設定画面４０において、基本１タブ４１ａが選択されているときの様子を示す説明図である。デジタルカメラ１の電源が入力されているときに、メニューボタン１８ｄが押されると、最初に表示される画面が、この図４（ａ）に対応する、基本１タブ４１ａの選択されている状態の画面である。この画面においては、十字キー１８ｇの操作により、露出モード、ＡＦモード、測光モード、フラッシュモードの設定が可能である。
【００５７】
図４（ｂ）は、メニュー設定画面４０において、基本２タブ４１ｂが選択されているときの様子を示す説明図である。基本１タブ４１ａが選択されている状態（図４（ａ）参照）から、十字キー１８ｇの右方向のキーが１回押されることによって、基本２タブ４１ｂが選択されている状態の画面が表示される。
【００５８】
この図４（ｂ）で示される画面では、十字キー１８ｇの操作により、撮影音モード、日付入力モード、記録条件モード、記録媒体選択モードの設定が可能である。
【００５９】
なお、撮影音モードはシャッタ音の有無を決定付けるモードであり、日付入力モードは記録画像に日付情報を取り込むか否かを決定付けるモードである。また、記録条件モードは、記録条件（画素数、記録コマ数、画質（圧縮率））を手動設定とするか自動設定とするかを設定するモードであり、記録媒体選択モードは、記録を行う記録媒体を選択するためのモードである。なお、ここで、動画記録条件モードではなく単に記録条件モード、動画記録媒体選択モードではなく単に記録媒体選択モードとしているのは、静止画の場合の設定も兼ねているからである。
【００６０】
図４（ｂ）で示される画面において、十字キー１８ｇの操作により、記録媒体選択モードを選択したとき、図４（ｃ）に示す画面が表示される。ここで、表示されている３つの選択肢であるＡＵＴＯ、第１の外部記録媒体（第１記録媒体）、または第２の外部記録媒体（第２記録媒体）の中から１つを選ぶこととなる。
【００６１】
図４（ｃ）で示される画面において、ＡＵＴＯが選択され、かつ、第１装着部１７ａ又は第２装着部１７ｂのいずれか一方のみに、対応する第１記録媒体３０ａ又は第２記録媒体３０ｂが装着されている場合には、動画記録要求があると、動画記録は、装着されている外部記録媒体に対して行われる。
【００６２】
ＡＵＴＯが選択され、第１装着部１７ａに第１記録媒体３０ａが装着され、かつ、第２装着部１７ｂに第２記録媒体３０ｂが装着されている場合には、動画データはまず、データ書き込み速度の速い方の外部記録媒体に記録される。そして、かかる外部記録媒体の残メモリがなくなったときには、もう一方の（データ書き込み速度が遅い方の）外部記録媒体に続けて動画データが記録される（この外部記録媒体切り替え時の制御方法については後述する）。このようにすると、データ書き込み速度の速い外部記録媒体から使用（記録）されていくので、高質な動画記録が可能となる。
【００６３】
また、図４（ｃ）で示される画面において、第１の外部記録媒体又は第２の外部記録媒体が選択され、かつ、動画記録要求があると、選択された第１記録媒体３０ａ又は第２記録媒体３０ｂのみに動画記録が行われる。
【００６４】
また、記録媒体選択モードの選択肢であるＡＵＴＯ、第１の外部記録媒体、第２の外部記録媒体以外に、もう一つの選択肢（以下、「ユーザー設定」とする）を設けてもよい。「ユーザー設定」の特徴は、第１装着部１７ａに第１記録媒体３０ａが装着され、かつ、第２装着部１７ｂに第２記録媒体３０ｂが装着されている場合に、動画データを最初に記録する記録媒体を、ユーザーが事前に設定できることである。それ以外はＡＵＴＯと全く同じである。
【００６５】
このような選択肢を備えると、ユーザーの望む順序で、第１記録媒体３０ａと第２記録媒体３０ｂに連続して動画記録を行うことができる。
【００６６】
図４（ｄ）は、メニュー設定画面４０において、応用１タブ４１ｃが選択されているときの様子を示す説明図である。なお、図４（ｄ）に示す画面は、基本２タブ４１ｂが選択されている状態（図４（ｂ）参照）から、十字キー１８ｇの右方向のキーが１回押されることによって表示される。
【００６７】
この図４（ｄ）で示される画面においては、十字キー１８ｇの操作により、第１記録媒体３０ａに記録を行う際の記録条件（画素数、記録コマ数、画質（圧縮率））の設定を行うことができる。ここで設定された記録条件は、図４（ｂ）で示される画面において、記録条件モードが手動設定とされている場合に有効となる。
【００６８】
図４（ｅ）は、メニュー設定画面４０において、応用２タブ４１ｄが選択されているときの様子を示す説明図である。図４（ｅ）に示す画面は、応用１タブ４１ｃが選択されている状態（図４（ｄ）参照）から、十字キー１８ｇの右方向のキーが１回押されることによって表示される。
【００６９】
この図４（ｅ）で示される画面においては、十字キー１８ｇの操作により、第２記録媒体３０ｂに記録を行う際の記録条件（画素数、記録コマ数、画質（圧縮率））の設定を行うことができる。ここで設定された記録条件は、図４（ｂ）で示される画面において、記録条件モードが手動設定とされている場合に有効となる。
【００７０】
本実施形態においては、上記の通り、記録条件（動画記録条件）は、画素数、撮影コマ数、および圧縮率の３つのパラメータから構成される。したがって、動画の質とデータ書き込み速度との関係がユーザーに分かりやすく、記録条件の設定が容易となる。
【００７１】
なお、上記構成のデジタルカメラ１においては、図４（ｄ）で示される応用１タブ４１ｃ選択時には、第１記録媒体３０ａに記録を行う際の記録条件の設定を行い、図４（ｅ）で示される応用２タブ４１ｄ選択時には、第２記録媒体３０ｂに記録を行う際の記録条件の設定を行うこととした。
【００７２】
しかしながら、書き込み速度検出部１９０によって検出されたデータ書き込み速度を基に、図４（ｄ）で示される応用１タブ４１ｃ選択時に、データ書き込み速度の速いほうの外部記録媒体に記録を行う際の記録条件の設定を行い、図４（ｅ）で示される応用２タブ４１ｄ選択時に、データ書き込み速度の遅いほうの外部記録媒体に記録を行う際の記録条件を設定するようにしても構わない。
【００７３】
また、第１記録媒体３０ａに記録を行う際の記録条件及び第２記録媒体３０ｂに記録を行う際の記録条件を一括して設定できるような構成としてもよい。このようにすると、第１記録媒体３０ａに記録を行う際の記録条件及び第２記録媒体３０ｂに記録を行う際の記録条件を同一のものとしたい場合に、一度に設定可能となり便利である。
【００７４】
また、図４（ｄ）又は図４（ｅ）で示される画面において記録条件の設定を行う際に、その時点で第１装着部１７ａ又は第２装着部１７ｂに装着されている第１記録媒体３０ａ又は第２記録媒体３０ｂのデータ書き込み速度と、動画記録条件に応じて定められる閾データ書き込み速度とを比較し、閾データ書き込み速度が記録媒体のデータ書き込み速度を上回るような動画記録条件の設定を禁止する構成も考えられる。
【００７５】
なお、動画記録条件に応じて定められる閾データ書き込み速度とは、各々の動画記録条件において、コマ落ちや音切れなどがほぼ発生しない記録媒体の書き込み速度の閾値であり、実験を行うことなどによって求められる。そして、各動画記録条件に応じて定められる閾データ書き込み速度は、不揮発性メモリ２１に格納されているものとする。
【００７６】
例えば、図４（ｄ）で示される画面において、画素数をハイビジョンタイプ（１９２０×１０８０ドット）、記録コマ数を３０ｆｐｓ（frames per seconds）に設定したとする。そして、第１記録媒体３０ａのデータ書き込み速度が、画素数をハイビジョンタイプ、記録コマ数を３０ｆｐｓ、かつ、画質をＦＩＮＥとしたときの閾データ書き込み速度を下回っているとする。この場合、次の記録条件である画質を設定する際に、画質をＦＩＮＥとする設定が不可能となるような構成とする。なお、画質のＦＩＮＥについての詳細は後述する。
【００７７】
次に、図１及び図５のフローチャートを用いて、デジタルカメラ１による動画記録が開始されたときの、制御部１９による記録媒体選択の手順を説明する。デジタルカメラ１において、動画記録要求がなされると（Ｓ1）、制御部１９は、記録媒体選択モードがＡＵＴＯに設定されているか否かを検出する（Ｓ2）。記録媒体選択モードがＡＵＴＯに設定されていない場合は、制御部１９は、記録媒体選択モードが第１の外部記録媒体に設定されているか否かを検出する（Ｓ3）。
【００７８】
記録媒体選択モードが第１の外部記録媒体に設定されている場合は、制御部１９は、第１装着部１７ａに、対応する第１記録媒体３０ａが装着されているか否かを検出する（Ｓ4）。第１記録媒体３０ａが装着されていない場合は、制御部１９は、ＬＣＤ１６ｂに警告を表示させ（Ｓ5）、Ｓ4に戻る。一方、Ｓ4において、第１記録媒体３０ａが装着されている場合には、制御部１９は、第１記録媒体３０ａに対する動画記録を行わせ（Ｓ6）、第１記録媒体３０ａの残メモリがなくなるか又は記録指令が解除されるまで動画記録を継続させる。なお、第１記録媒体３０ａの残メモリがなくなるか又は記録指令が解除された場合は、制御部１９は動画記録を終了させる（Ｓ7、Ｓ8）。
【００７９】
また、Ｓ3において、記録媒体選択モードが第２の外部記録媒体に設定されている場合は、制御部１９は、第２装着部１７ｂに、対応する第２記録媒体３０ｂが装着されているか否かを検出する（Ｓ9）。第２記録媒体３０ｂが装着されていない場合は、制御部１９は、ＬＣＤ１６ｂに警告を表示させ（Ｓ10）、Ｓ9に戻る。Ｓ9において、第２記録媒体３０ｂが装着されている場合には、制御部１９は、第２記録媒体３０ｂに対する動画記録を行わせ（Ｓ11）、第２記録媒体３０ｂの残メモリがなくなるか又は記録指令が解除されるまで動画記録を継続させる。なお、第２記録媒体３０ｂの残メモリがなくなるか又は記録指令が解除された場合は、制御部１９は動画記録を終了させる（Ｓ12、Ｓ8）。
【００８０】
また、Ｓ2において、記録媒体選択モードがＡＵＴＯに設定されている場合は、制御部１９は、第１装着部１７ａ、第２装着部１７ｂのそれぞれに、対応する第１記録媒体３０ａ、第２記録媒体３０ｂが装着されているか否かを検出する（Ｓ13、Ｓ14、Ｓ15）。第１記録媒体３０ａ、第２記録媒体３０ｂのどちらも装着されていない場合は（Ｓ13でＮＯかつＳ15でＮＯ）、ＬＣＤ１６ｂに警告を表示し（Ｓ16）、Ｓ13に戻る。
【００８１】
Ｓ2において、記録媒体選択モードがＡＵＴＯに設定されており、第１装着部１７ａにのみ第１記録媒体３０ａが装着されており、第２装着部１７ｂには第２記録媒体３０ｂが装着されていない場合は（Ｓ13でＹＥＳかつＳ14でＮＯ）、Ｓ6へ進む。そして、記録媒体選択モードが第１の外部記録媒体に設定されている場合と同様の処理を行う（Ｓ6、Ｓ7、Ｓ8）。
【００８２】
Ｓ2において、記録媒体選択モードがＡＵＴＯに設定されており、第１装着部１７ａには第１記録媒体３０ａが装着されておらず、第２装着部１７ｂにのみ第２記録媒体３０ｂが装着されている場合は（Ｓ13でＮＯかつＳ15でＹＥＳ）、Ｓ11へ進み、以下、記録媒体選択モードが第２の外部記録媒体に設定されている場合と同様の処理を行う（Ｓ11、Ｓ12、Ｓ8）。
【００８３】
Ｓ2において、記録媒体選択モードがＡＵＴＯに設定されており、第１装着部１７ａに第１記録媒体３０ａが装着されており、かつ、第２装着部１７ｂに第２記録媒体３０ｂが装着されている場合は（Ｓ13でＹＥＳかつＳ14でＹＥＳ）、制御部１９は、書き込み速度検出部１９０によって検出されたデータ書き込み速度を比較する（Ｓ17）。なお、ここで、第１記録媒体３０ａのデータ書き込み速度をｖ1、第２記録媒体３０ｂのデータ書き込み速度ｖ2とする。
【００８４】
ｖ1≧ｖ2ならば、まず、第１記録媒体３０ａに動画記録を行う（Ｓ18）。そして、第１記録媒体３０ａの残メモリがなくなったか否かを監視し（Ｓ19）、第１記録媒体３０ａの残メモリがなくなった場合は、Ｓ11へ進み、以下、記録媒体選択モードが第２の外部記録媒体に設定されている場合と同様の処理を行う（Ｓ11、Ｓ12、Ｓ8）。第１記録媒体３０ａの残メモリがなくなっていない場合は、記録指令が解除されたか否かを監視し（Ｓ20）、記録指令が解除されたならば記録を終了し（Ｓ8）、記録指令が解除されていないならばＳ18へ戻る。
【００８５】
Ｓ17において、ｖ1＜ｖ2ならば、まず、第２記録媒体３０ｂに動画記録を行う（Ｓ21）。そして、第２記録媒体３０ｂの残メモリがなくなったか否かを監視し（Ｓ22）、第２記録媒体３０ｂの残メモリがなくなった場合は、Ｓ6へ進み、以下、記録媒体選択モードが第１の外部記録媒体に設定されている場合と同様の処理を行う（Ｓ6、Ｓ7、Ｓ8）。第２記録媒体３０ｂの残メモリがなくなっていない場合は、記録指令が解除されたか否かを監視し（Ｓ23）、記録指令が解除されたならば記録を終了し（Ｓ8）、記録指令が解除されていないならばＳ21へ戻る。
【００８６】
以上が、本実施形態に係るデジタルカメラ１の制御部１９による、動画記録時の記録媒体の選択の流れである。次に、第１装着部１７ａに第１記録媒体３０ａが装着され、かつ、第２装着部１７ｂに第２記録媒体３０ｂが装着されており、記録媒体選択モードがＡＵＴＯに設定されている場合の、動画記録開始時及び記録媒体切り替え時の制御部１９による制御手順の詳細について説明する。
【００８７】
記録媒体選択モードがＡＵＴＯに設定されているので、図５のフローチャートに示したように、まず、第１記録媒体３０ａと第２記録媒体３０ｂのうち、書き込み速度検出部１９０によって検出されたデータ書き込み速度の速い方の記録媒体（以下、記録媒体Ａとする）に動画記録が行われる。
【００８８】
このとき、基本２タブ４１ｂが選択されている画面（図４（ｂ）参照）において、記録条件モードが自動設定とされていると、記録条件は、制御部１９が、書き込み速度検出部１９０によって検出された、記録媒体Ａのデータ書き込み速度と各動画記録条件に応じて定められる閾データ書き込み速度とに基づいて、コマ落ちや音切れなどが発生しない記録条件を設定する。
【００８９】
このアルゴリズムとしては、例えば、記録媒体Ａのデータ書き込み速度を上回らない範囲で閾データ書き込み速度が最大となる記録条件を探索し、その記録条件を設定することなどが考えられる。
【００９０】
一方、基本２タブ４１ｂが選択されている画面（図４（ｂ）参照）において、記録条件モードが手動設定とされていると、記録媒体Ａが第１記録媒体３０ａである場合、記録条件は、応用１タブ４１ｃの選択されている画面（図４（ｄ）参照）において設定された記録条件となる。また、同様に、記録媒体Ａが第２記録媒体３０ｂである場合、応用２タブ４１ｄが選択されている画面（図４（ｅ）参照）において設定された記録条件となる。
【００９１】
ここで、基本２タブ４１ｂが選択されている画面（図４（ｂ）参照）において、記録条件モードが手動設定とされていると、記録媒体Ａの書き込み速度が、手動設定された記録条件に応じて定められる閾データ書き込み速度を下回ることが起こり得る。
【００９２】
記録媒体Ａのデータ書き込み速度が、記録条件に応じて定められる閾データ書き込み速度を下回るとき、そのままの記録条件で動画記録を行うと、記録される動画データにコマ落ちや音切れなどが発生することがある。そこで、この場合には、制御部１９は、ＬＣＤ１６ｂに警告を表示させ、記録条件を、閾データ書き込み速度が記録媒体Ａのデータ書き込み速度を下回る記録条件に変更させる。又は、制御部１９は、ＬＣＤ１６ｂに記録条件の変更内容を表示させ、ユーザーの許可を待って動画記録を開始させるようにしてもよい。
【００９３】
なお、この記録条件変更の際のアルゴリズムとしては、例えば、記録媒体Ａのデータ書き込み速度を上回らない範囲で閾データ書き込み速度が最大となる記録条件を探索し、その記録条件を設定することなどが考えられる。
【００９４】
そして、動画記録の進行により、記録媒体Ａの残メモリがなくなったとき、記録媒体選択モードがＡＵＴＯに設定されているので、書き込み速度検出部１９０によって検出されたデータ書き込み速度が遅い方の記録媒体（以下、記録媒体Ｂとする）に続けて動画記録が行われる。
【００９５】
このとき、基本２タブ４１ｂが選択されている画面（図４（ｂ）参照）において、記録条件モードを自動設定としている場合には、制御部１９が、書き込み速度検出部１９０によって検出された記録媒体Ｂのデータ書き込み速度と各動画記録条件に応じて定められる閾データ書き込み速度とに基づいて、コマ落ちや音切れなどが発生しないように記録条件を変更して動画記録を継続する。
【００９６】
このアルゴリズムとしては、例えば、記録媒体Ｂのデータ書き込み速度を上回らない範囲で閾データ書き込み速度が最大となる記録条件を探索し、その記録条件を設定することなどが考えられる。
【００９７】
基本２タブ４１ｂが選択されている画面（図４（ｂ）参照）において、記録条件モードを手動設定とされていると、記録媒体Ｂが第１記録媒体３０ａである場合、記録条件は、応用１タブ４１ｃが選択されている画面（図４（ｄ）参照）において設定された記録条件となる。また、同様に、記録媒体Ｂが第２記録媒体３０ｂである場合には、応用２タブ４１ｄが選択されている画面（図４（ｅ）参照）において設定された記録条件となる。
【００９８】
ここで、基本２タブ４１ｂが選択されている画面（図４（ｂ）参照）において、記録条件モードを手動設定とされていると、記録媒体Ｂのデータ書き込み速度が、手動設定された記録条件に応じて定められる閾データ書き込み速度を下回ることが起こり得る。
【００９９】
記録媒体Ｂのデータ書き込み速度が、手動設定された記録条件に応じて定められる閾データ書き込み速度を下回るとき、そのままの記録条件で記録を続けていくと、記録される動画データにコマ落ちや音切れなどが発生する。そこで、この場合には、制御部１９は、ＬＣＤ１６ｂに警告を表示させ、記録条件を、閾データ書き込み速度が記録媒体Ｂのデータ書き込み速度を下回る記録条件に変更させる。又は、制御部１９は、ＬＣＤ１６ｂに記録条件の変更内容を表示させ、ユーザーの許可を待って動画記録を続行させるようにしてもよい。
【０１００】
なお、この記録条件変更の際のアルゴリズムとしては、例えば、記録媒体Ｂのデータ書き込み速度を上回らない範囲で閾データ書き込み速度が最大となる記録条件を探索し、その記録条件を設定することなどが考えられる。
【０１０１】
なお、上記においては記録媒体Ａ又は記録媒体Ｂのデータ書き込み速度が、手動設定された記録条件に応じて定められる閾データ書き込み速度を下回っているとき、記録媒体のデータ書き込み速度が閾データ書き込み速度を上回るような記録条件に変更して動画記録を行うこととした。しかしながら、記録媒体選択モードに、このような場合に動画記録を停止するモードを設けてもよい。このような制御を行うと、動画記録自体が停止するため、記録される動画データにコマ落ちや音切れなどが発生することはあり得ない。
【０１０２】
以下、動画記録開始時及び外部記録媒体切り替え時の制御部１９による制御手順の具体例について、図１及び図６のフローチャートを用いて説明する。なお、本具体例においては、記録媒体Ａのデータ書き込み速度をｖA、記録媒体Ｂのデータ書き込み速度をｖBとする。つまり、ｖA≧ｖBである。
【０１０３】
また、デジタルカメラ１は画素数を「ＶＧＡ（６４０×４８０ドット）、ＱＶＧＡ（３２０×２４０ドット）」の２種類から、記録コマ数を「３０ｆｐｓ（frames per second）、２４ｆｐｓ」の２種類から、画質を「ＦＩＮＥ（高画質、つまり低圧縮率）、ＳＴＡＮＤＡＲＤ（中画質、つまり中圧縮率）、ＥＣＯＮＯＭＹ（低画質、つまり高圧縮率）」の３種類から選択できるものとする。なお、本明細書においては、圧縮率が高いとは、圧縮前のデータ量に比べて圧縮後のデータ量が大きく減少する場合を示し、圧縮率が低いとは、圧縮前のデータ量に比べて圧縮後のデータ量があまり減少しない場合を示すものとする。
【０１０４】
そして、基本２タブ４１ｂが選択されている画面（図４（ｂ）参照）において、記録条件モードを手動設定としており、その設定値は第１記録媒体３０ａ、第２記録媒体３０ｂともに、ＶＧＡ、３０ｆｐｓ、ＥＣＯＮＯＭＹであるとする。また、ＶＧＡ、３０ｆｐｓＥＣＯＮＯＭＹの条件によって定まる閾データ書き込み速度はｖε、ＱＶＧＡ、３０ｆｐｓ、ＥＣＯＮＯＭＹの条件によって定まる閾データ書き込み速度はｖδであるとする。なお、ｖε及びｖδは、予備実験を行うことによって経験的に定めることができる。
【０１０５】
つまり、記録媒体のデータ書き込み速度がｖε以上であるならば、手動設定された記録条件であるＶＧＡ、ＥＣＯＮＯＭＹ、３０ｆｐｓの条件で動画記録が可能である一方、記録媒体のデータ書き込み速度がｖδ以上かつｖε未満であるならば、ＱＶＧＡ、ＥＣＯＮＯＭＹ、３０ｆｐｓの条件で動画記録が可能である。また、記録媒体のデータ書き込み速度がｖδ未満であるならば、ＱＶＧＡ、ＥＣＯＮＯＭＹ、２４ｆｐｓの条件でのみ動画記録が可能である。
【０１０６】
このとき、制御部１９は、図６のフローチャートに示す制御を行う。すなわち、制御部１９は、動画記録要求が行われると（Ｓ100）、ｖAとｖεとの大小関係を検出する（Ｓ101）。ｖA≧ｖεであるならば、手動で行った設定通りに、画素数をＶＧＡに（Ｓ102）、記録コマ数を３０ｆｐｓに（Ｓ103）、画質をＥＣＯＮＯＭＹに（Ｓ104）それぞれ設定する。
【０１０７】
Ｓ101において、ｖA＜ｖεであるならば、制御部１９は、ＬＣＤ１６ｂに画素数をＱＶＧＡに設定する旨の警告を表示させ（Ｓ105）、画素数をＱＶＧＡに設定する（Ｓ106）。そして、次に、ｖAとｖδとの大小関係を検出する（Ｓ107）。ｖA≧ｖδであるならば、記録コマ数を３０ｆｐｓに（Ｓ103）、画質をＥＣＯＮＯＭＹに（Ｓ104）それぞれ設定する。
【０１０８】
Ｓ107において、ｖA＜ｖδであるならば、制御部１９は、ＬＣＤ１６ｂに記録コマ数を２４ｆｐｓに設定する旨の警告を表示させ（Ｓ108）、記録コマ数を２４ｆｐｓに（Ｓ109）、画質をＥＣＯＮＯＭＹに（Ｓ104）それぞれ設定する。
【０１０９】
以上で、記録媒体Ａに動画記録を行う際の記録条件の設定が終了し、制御部１９は、記録媒体Ａに対する動画記録を実行させる（Ｓ110）。そして、制御部１９は、動画記録実行中は、記録指令の解除要求の有無を監視し（Ｓ111）、記録指令の解除要求があった場合、動画記録を終了する（Ｓ112）。また、動画記録実行中は、記録媒体Ａの残メモリを監視し（Ｓ113）、動画記録を継続できる残メモリがあればＳ110に戻る。
【０１１０】
動画記録を継続できる残メモリがなければ、ｖBとｖεとの大小関係を検出する（Ｓ114）。ｖB＜ｖεであるならば、ＬＣＤ１６ｂに画素数をＱＶＧＡに設定する旨の警告を表示させ（Ｓ115）、画素数をＱＶＧＡに設定する（Ｓ116）。なお、記録媒体Ａへの記録時に、すでに画素数がＱＶＧＡに設定されている場合は、画素数はそのままであり、Ｓ116によって設定は変更されない。
【０１１１】
そして、次に、ｖBとｖδとの大小関係を検出する（Ｓ117）。ｖB＜ｖδであるならば、ＬＣＤ１６ｂに記録コマ数を２４ｆｐｓにする旨の警告を表示させ（Ｓ118）、記録コマ数を２４ｆｐｓに（Ｓ119）に設定する。なお、記録媒体Ａへの記録時に、すでに記録コマ数が２４ｆｐｓに設定されている場合は、記録コマ数はそのままであり、Ｓ119によって設定は変更されない。また、画質はＥＣＯＮＯＭＹのままであり、変更はない。
【０１１２】
なお、Ｓ114において、ｖB≧ｖεであるならば、このとき明らかにｖA≧ｖεであるので、記録媒体Ｂに動画記録を行う際の記録条件は、記録媒体Ａに動画記録を行った際の記録条件と同じである（画素数はＶＧＡ、記録コマ数は３０ｆｐｓ、画質はＥＣＯＮＯＭＹ）。
【０１１３】
また、Ｓ117において、ｖB≧ｖδであるならば、このとき明らかにｖA≧ｖδであるので、記録媒体Ｂに動画記録を行う際の画素数以外の記録条件は、記録媒体Ａに動画記録を行った際の記録条件と同じである（記録コマ数は３０ｆｐｓ、画質はＥＣＯＮＯＭＹ）。
【０１１４】
以上で、記録媒体Ｂに動画記録を行う際の記録条件の設定が終了し、制御部１９は、外部記録媒体Ｂに対する動画記録を実行させる（Ｓ120）。そして、制御部１９は、動画記録実行中は、記録指令の解除要求の有無を監視し（Ｓ121）、記録指令の解除要求があった場合、動画記録を終了する（Ｓ112）。また、動画記録実行中は、記録媒体Ｂの残メモリを監視し（Ｓ122）、動画記録を継続できる残メモリがあればＳ120に戻る。動画記録を継続できる残メモリがなければ、記録を終了する（Ｓ112）。
【０１１５】
上記構成のデジタルカメラ１においては、制御部１９は、記録媒体Ａ、記録媒体Ｂの順に動画記録を行わせ、記録媒体Ｂの残メモリがなくなった時点で動画記録を終了させる構成とした。しかしながら、制御部１９は、記録媒体Ａの残メモリがなくなり、記録媒体Ｂに動画記録を行っている間に、別の記録媒体Ｃが、記録媒体Ａが装着されていた外部記録媒体装着部に装着された場合、外部記録媒体検知部１９１によってこれを検知し、記録媒体Ｂの残メモリがなくなった時点で、記録媒体を記録媒体Ｃに切り替えて動画記録を続行させる構成としてもよい。
【０１１６】
このとき、記録媒体Ｃのデータ書き込み速度が測定されていない場合は、記録媒体Ｂに動画記録を行っている際に、書き込み速度検出部１９０の書き込み速度測定部１９２によって、記録媒体Ｃのデータ書き込み速度を測定する必要がある。しかしながら、記録媒体Ｃのデータ書き込み速度の測定が間に合わないときには、閾データ書き込み速度が最も遅い記録条件（本実施例においては画素数はＱＶＧＡ、記録コマ数は２４ｆｐｓ、画質はＥＣＯＮＯＭＹ）で記録媒体Ｃへの動画記録を開始し、動画記録を行いながら記録媒体Ｃのデータ書き込み速度を検出し、その後、記録条件を変更していくようにしてもよい。
【０１１７】
上記構成のデジタルカメラ１においては、制御部１９は、複数の記録媒体に連続して動画記録を行う際の記録媒体切り替え時に、予めユーザーによって設定された記録条件（画素数、記録コマ数、圧縮率）に応じて定められる閾データ書き込み速度が、記録媒体切り替え後の記録媒体のデータ書き込み速度を上回るときに、記録条件を自動的に変更し、動画記録を継続させる。したがって、複数の記録媒体に連続して動画記録を行う場合に、動画データのコマ落ちや音切れなどを防止することが可能となる。
【０１１８】
なお、以上の説明においては、制御部１９は、動画記録中に記録媒体のデータ書き込み速度と、設定された記録条件における閾データ書き込み速度とを比較して、記録条件の変更を行うかどうか、あるいは動画記録を継続して行うかどうかの判断をしている。しかしながら、モードダイアル１８ｃによって動画モードが選択されたときに、その時点で装着されている各記録媒体について、設定された記録条件における動画記録が可能かどうかを判断するようにしてもよい。
【０１１９】
例えば、データ書き込み速度が、設定された記録条件に対応する閾データ書き込み速度よりも遅い記録媒体が装着されている場合、その旨をＬＣＤ１６ｂに表示させる。また、そのような場合に、ＬＣＤ１６ｂに、連続して動画記録を行うかどうかの選択画面を表示させ、ユーザーに選択させるようにしてもよい。
【０１２０】
なお、本発明は上記の実施形態に限定されず、本発明の趣旨を逸脱しない範囲で種々の変更が可能である。例えば、本実施形態においては、記録媒体は２つの外部記録媒体としたが、外部記録媒体１つとデジタルカメラ１に内蔵された記録媒体１つのような構成でも構わない。また、装着される記録媒体の数は３つ以上でも構わない。
【産業上の利用可能性】
【０１２１】
本発明は動画記録が可能な撮像装置として有効である。
【図面の簡単な説明】
【０１２２】
【図１】本発明の実施形態に係るデジタルカメラの概略の構成を示したブロック図である。
【図２】図２（Ａ）は、本発明の実施形態に係るデジタルカメラの外観側面図であり、図２（Ｂ）は、本発明の実施形態に係るデジタルカメラの外観背面図である。
【図３】本実施形態に係る書き込み速度検出部の概略の構成を示す説明図である。
【図４】本実施形態に係るデジタルカメラのメニュー設定画面を示す説明図である。
【図５】本実施形態に係るデジタルカメラによる動画記録時の、制御部による記録媒体選択の手順を示すフローチャートである。
【図６】本実施形態に係るデジタルカメラにおける、動画記録開始時及び外部記録媒体切り替え時の、制御部による制御手順を示すフローチャートである。
【符号の説明】
【０１２３】
１    デジタルカメラ（撮像装置）
１８    操作部（動画記録条件入力部、優先順位入力部）
１９    制御部
３０ａ    第１の外部記録媒体、第１記録媒体（記録媒体）
３０ｂ    第２の外部記録媒体、第２記録媒体（記録媒体）
１９０    書き込み速度検出部
【図１】
2007214768.tif 000003
【図２】
2007214768.tif 000004
【図３】
2007214768.tif 000005
【図４】
2007214768.tif 000006
【図５】
2007214768.tif 000007
【図６】
2007214768.tif 000008